(57)【要約】【課題】本考案は従来の携帯電話機を送受信時に鞄等から取出し収納する煩わしさや受信音の廃止と受信の確実性を改善する課題とする。【解決手段】本考案は電話機本体１を固定バンド２で手首に本体凹部１ａにバンド凸部２ａではめ込み挿入して固定することで電話機の取出し収納の必要がなく操作性に煩わしさがなく迅速に対応が出来るようになる。手首に装着した事で振動体も従来のモータに不均衡な錘を取付ける複雑な機構から、単純構造な電磁作用の吸引反発の原理で安価に微振動でも確実に受信出来る。又、従来の受信音も不用となり騒音防止にも役立つ事が出来る。尚、手首より取外し充電器で充電中は受信音が発生するように電話機本体と充電器の接続で可能とするため一般の電話機の機能を備えることも出来る特徴が得られる。【選択図】図１
0003097343.tif 000002
【実用新案登録請求の範囲】
【請求項１】
身体の一部の手首等にバンド等にて装置する電話機の構造。
【請求項２】
円筒状又は鉄心に捲かれた巻線と近くに設置された磁性体又は磁石が受信信号にて発生した磁界と吸引、反発することで振動を発生し受信を感知する電話機の構造。
【考案の詳細な説明】
【０００１】
【考案の属する技術分野】
本考案は身体の一部の手首等に装置する電話機に於いて受信信号にて磁界を発生する巻線と近接した磁石が吸引、反発し振動を発生し受信を感知する電話機の構造に関するものである。
【０００２】
【従来の技術】
従来の携帯電話機は鞄や衣服のポケット等に常時収納されており受信及び発信時その都度、外部に取出し入れして使用する為、煩わしさ、落下破損の危険性がある。
尚、受信を感知する為にモータの出力軸に不均衡な錘を装着し振動を大きくする為価格構造上不利になる。
又、振動を感知出来ない距離にある場合受信音を鳴らす為に外部への騒音の発生、受信する迄の時間的損失や不便を伴う欠点がある。
【０００３】
【考案が解決しようとする課題】
従来の携帯電話機は送受信時、鞄等から取出す煩わしさ、振動を確実に感知出来ない欠点、受信時の騒音等を一挙に解決する為に手首等に装着することにより受信信号の振動も微力で簡単な構造で検知出来て低価格で小型化と便利性の向上が計れる。
【０００４】
【課題を解決する手段】
本考案は電話機を身体の一部（手首又は首から下げる）に密着させる為送受信時速やかに対応が可能となり鞄から取出す手間等煩わしさが解消される。
身体に密着する為微力の振動でも感知出来るのでモータに錘をつけるような複雑な構造も不用になる。振動の発生源は巻線による電磁石と鉄棒又は磁石等による磁気吸引反発による単純な構造で身体に振動を与え、受信を感知させることが出来る。従って、身体に装着時は受信音の必要もなく電話機に受信時の受信音発生装置も不要となる。
尚、身体より携帯電話機を取外して電池を充電器に、電話機を装着した時、充電器に内臓された受信音の発生装置が電話機と連結され一般の電話機と同様受信音が発生する事が出来るので、２４時間使用可能の便利さも向上する。又、毎日充電出来ることから電池も小型になり小型軽量化に進展出来ることが期待出来る。
【０００５】
【考案の実施の形態】
本考案の電話機は左か右の手首又はペンダントのように首から下げる構造を考え軽量、小型化を優先する。
手首に装着する場合は、布や金属及び樹脂製のバンド方式で装着を簡単にし、且つアクセサリー感覚で装飾的にも考慮する。電話機は薄型化にする為、電池部は手首外側にバンドと一体化構造とし、手首の内側には開閉式の電話機本体を装着する構造で重量を手首の両側に均等化し薄型化にする。
使用時は２つ折の電話機を開き掌に液晶部とスピーカー部が位置しており手を耳に近づける事で簡単に速やかに送受信が可能となる。
尚、受信時の振動発生部は手首の内側と接触する電話機の本体ケース部内側に装備し振動が感じ易いようにする。
ペンダント方式も同様に胸に接する本体ケース内側に振動発生部を装着する。受信時の受信音は手首に装着する時は鳴らないようにして電池充電時のみ充電器内に装置された受信音装置が電話機のスピーカーと連結されて鳴る構造にする。
従って充電中は一般の電話機と同じ機能として受信音が鳴る機構とする。
【０００６】
【実施例】
振動発生部詳細図を説明する。
電話機本体１は手首内側に接触しており本体１の片側と電話機を固定する樹脂製バンド２は蝶番８等で可動し固着している。固定バンド２は手首外側を廻り本体１の反対側１ａの凹部とバンド２ａの凸部によりはめ込み等で手首に電話機を固着出来る構造にする。
振動発生部は本体１が手首と接触する面の内側１ｂに巻枠３に捲かれた巻線４が固定されている。
巻線の中央部には巻枠３の小孔３ａがあり小孔３ａの中に挿入された軸状の鉄棒５又は磁石があり鉄棒５の片側は円板状鉄片７とコイルバネ６が固着され鉄棒５は巻枠３の小孔３ａの中央部でコイルバネ６で保持される。鉄棒５は小孔３ａの中を円滑に動く構造になっている。
尚、鉄棒５と鉄片７がコイルバネ６の反動で外部へ飛出さないよう本体の上面１ｃで覆われている。
受信信号が巻線４に印加されると巻線４に磁界が発生し鉄棒５及び鉄片７は吸引され勢いよく小孔３ａ内を貫通し本体１に設けられた小孔１ｄより鉄棒５の先端が手首の内側に突出し衝撃を加える。受信信号がＯＦＦになると巻線４の磁界も消滅しコイルバネ６で鉄棒５は戻され本体上面１ｃに衝撃を与える。
信号が再びＯＮになると磁界により鉄棒５は吸引され小孔３ａを貫通し小孔１ｄより手首に衝撃を加える事になり信号のＯＮＯＦＦで衝撃として感知出来る構造で微小振動で確実に感知出来る。
【０００７】
【考案の効果】
身体の一部の手首や胸に電話機を固定及び接触させるため受信信号を感知する振動源も微小（φ８×５ｍｍ）且つ簡単で低価格に改善出来る。送受信の操作性も迅速簡単に鞄から取出し収納の煩わしさも受信音の騒音もなくファッション感覚としての効果も期待出来る。
【図面の簡単な説明】
【図１】振動部の断面構造図を示す。
【図２】振動部別案断面構造図を示す。
【図３】手首に実装された立体構造図を示す。
【符号の説明】
１電話機本体　１ａ本体凹部　１ｂ本体内側部　１ｃ本体上面部　１ｄ本体小孔
２固定バンド　２ａバンド凸部
３巻枠　３ａ巻枠小孔
４巻線
５鉄棒（又は棒状磁石）
６コイルバネ
７円板状鉄片
８蝶番
９電池
１０鉄製Ｍ３ネジ
１１鉄製補助片
１２磁石
【図１】
0003097343.tif 000003
【図２】
0003097343.tif 000004
【図３】
0003097343.tif 000005
【手続補正書】
【提出日】平成15年2月17日(2003.2.17)
【手続補正１】
【補正対象書類名】明細書
【補正対象項目名】実用新案登録請求の範囲
【補正方法】変更
【補正の内容】
【実用新案登録請求の範囲】
【請求項１】
身體の一部の手首等にバンドや紐等にて取付けるけい帶電話機
【請求項２】
請求項１のけい帶電話機に於てボビン状に捲かれた巻線ガ電話機に裝置されボビン中央部を可動出來る磁性體又はボビンと對向した磁石ガ受信信號によリボビンが磁化され磁性體又は磁石ガ反發，吸引し振動し身體に直接又は間接的に振動をあたえ受信を感知出來る振動裝置
【手続補正書】
【提出日】平成15年5月26日(2003.5.26)
【手続補正１】
【補正対象書類名】明細書
【補正対象項目名】実用新案登録請求の範囲
【補正方法】変更
【補正の内容】
【実用新案登録請求の範囲】
【請求項１】
携帯電話機を身体の手首等に取り付ける方法として電池を内蔵したバンドと蝶番を有した携帯電話機
【請求項２】
請求項１の電話機本体の内部にボビン状に巻かれた電線が鉄製ネジで本体に固定され受信信号により磁化される電磁石とボビンと対向した永久磁石又は鉄棒を有し受信信号により永久磁石が電磁石と反発吸引の往復運動を繰り返すことで身体に直接又は間接的に振動を与える受信感知装置